(57)【要約】【課題】隙間を設けて一列に配置される複数の室外機を備えた室外マルチユニットにおいて、隙間から吸い込まれる外気に通風偏流を生じさせず、冷媒偏流の併発を回避する。【解決手段】隙間を設けて一列に並べて配置される複数の室外機を備えた室外マルチユニットであって、各室外機は、三側面に吸込口を備え上面に吹出口を備えたケーシングと、吸込口を備えた前記三側面に沿って配置された三側面を有し、全室外機間で同一の冷媒循環系統に接続された熱交換器と、熱交換器の内側に当該熱交換器の両端の側面が対向し合う方向に二基以上並べて配置されたファンとを備え、互いに隣り合う室外機は、一方の室外機の熱交換器の三側面のうちの端の側面と他方の室外機の熱交換器の三側面のうちの端の側面とが対向しており、室外機の側面を介して隣り合うファンのモータの回転速度が一致するように当該モータの回転駆動制御を行う。【選択図】図３
2012255630.tif 000002
【特許請求の範囲】
【請求項１】
互いに隙間を設けて一列に並べて配置される複数台の室外機（３ａ，３ｂ，３ｃ）を備えた室外マルチユニット（３０）であって、
各室外機（３ａ，３ｂ，３ｃ）は、
三側面（３９Ｌ，３９Ｆ，３９Ｒ）のそれぞれに外気を内部に吸い込むための吸込口を備えるとともに、上面に当該ケーシング（３９）内部の空気を吹き出すための吹出口を備えたケーシング（３９）と、
吸込口を備えた前記三側面（３９Ｌ，３９Ｆ，３９Ｒ）に沿って配置された三側面を有し、当該室外マルチユニット（３０）に備えられた全ての室外機（３ａ，３ｂ，３ｃ）間で同一の冷媒循環系統に接続された熱交換器（３１）と、
前記ケーシング（３９）における前記熱交換器（３１）の内側に、当該熱交換器（３１）の両端の側面が対向し合う方向に二基以上並べて配置され、それぞれ、モータ（３２２）と当該モータ（３２２）の回転駆動によって回転される羽根車（３２１）とを有するファン（３２Ｌ，３２Ｒ）と、
を備え、
互いに隣り合う室外機は、一方の室外機に設けられた前記熱交換器（３１）の前記三側面のうちの端の側面と、他方の室外機に設けられた前記熱交換器（３１）の前記三側面のうちの端の側面とが対向しており、
ファン（３２Ｌ，３２Ｒ）のモータ（３２２）を回転駆動制御するファン駆動制御部（４１）と、
互いに隣り合う室外機に設けられた前記熱交換器（３１）の側面のうちの当該室外機の側面を介して対向し合う側面の有効伝熱面積が互いに等しい場合に、当該室外機（３ａ，３ｂ，３ｃ）の側面を介して隣り合うファン（３２Ｌ，３２Ｒ）のモータ（３２２）の回転速度が一致する駆動制御を行うように前記ファン駆動制御部（４１）に指示する回転速度調整部（４２）と、
を備える室外マルチユニット。
【請求項２】
互いに隙間を設けて一列に並べて配置される複数台の室外機（３ａ，３ｂ，３ｃ）を備えた室外マルチユニット（３０）であって、
各室外機（３ａ，３ｂ，３ｃ）は、
三側面（３９Ｌ，３９Ｆ，３９Ｒ）のそれぞれに外気を内部に吸い込むための吸込口を備えるとともに、上面に当該ケーシング（３９）内部の空気を吹き出すための吹出口を備えたケーシング（３９）と、
吸込口を備えた前記三側面（３９Ｌ，３９Ｆ，３９Ｒ）に沿って配置された三側面を有し、当該室外マルチユニット（３０）に備えられた全ての室外機（３ａ，３ｂ，３ｃ）間で同一の冷媒循環系統に接続された熱交換器（３１）と、
前記ケーシング（３９）における前記熱交換器（３１）の内側に、当該熱交換器（３１）の両端の側面が対向し合う方向に二基以上並べて配置され、それぞれ、モータ（３２２）と当該モータ（３２２）の回転駆動によって回転される羽根車（３２１）とを有するファン（３２Ｌ，３２Ｒ）と、
を備え、
互いに隣り合う室外機は、一方の室外機に設けられた前記熱交換器（３１）の前記三側面のうちの端の側面と、他方の室外機に設けられた前記熱交換器（３１）の前記三側面のうちの端の側面とが対向しており、
ファン（３２Ｌ，３２Ｒ）のモータ（３２２）を回転駆動制御するファン駆動制御部（４１）と、
互いに隣り合う室外機に設けられた前記熱交換器（３１）の側面のうちの当該室外機の側面を介して対向し合う側面の有効伝熱面積が互いに異なる場合に、当該室外機（３ａ，３ｂ，３ｃ）の側面を介して隣り合うファン（３２Ｌ，３２Ｒ）のうちの一方のファン（３２Ｒ）のモータ（３２２）の回転速度と他方のファン（３２Ｌ）側の前記有効伝熱面積との積が、当該他方のファン（３２Ｌ）のモータ（３２２）の回転速度と当該一方のファン（３２Ｒ）側の前記有効伝熱面積との積と等しくなる駆動制御を行うように前記ファン駆動制御部（４１）に指示する回転速度調整部（４２）と、
を備える室外マルチユニット。
【請求項３】
前記各室外機（３ａ，３ｂ，３ｃ）は、
当該室外マルチユニット（３０）に備えられた全ての室外機（３ａ，３ｂ，３ｃ）間で同一の冷媒循環系統に接続された圧縮機（３４）を備え、
前記回転速度調整部（４２）は、室外機（３ａ，３ｂ，３ｃ）の側面を介して隣り合うファン（３２Ｌ，３２Ｒ）のモータ（３２２）の回転速度を調整する駆動制御を行うように前記ファン駆動制御部（４１）に指示する場合に、更に、前記各室外機（３ａ，３ｂ，３ｃ）に備えられた各圧縮機（３４）から吐出される冷媒の圧力（ＨＰａ，ＨＰｂ，ＨＰｃ）が、予め定められた誤差（ＤＦ）の範囲内で等しくなるように、前記各室外機（３ａ，３ｂ，３ｃ）に備えられたファンのうち、当該室外機（３ａ，３ｂ，３ｃ）の側面を介して隣り合うファンが存在しないファン（３２Ｌａ，３２Ｒｃ）のモータ（３２２）の回転速度を調整する駆動制御を行うように前記ファン駆動制御部（４１）に指示する請求項１又は２に記載の室外マルチユニット。
【請求項４】
前記回転速度調整部（４２）は、室外機（３ａ，３ｂ，３ｃ）の側面を介して隣り合うファン（３２Ｌ，３２Ｒ）のモータ（３２２）の回転速度を調整する駆動制御を行うように前記ファン駆動制御部（４１）に指示する場合に、更に、各室外機（３ａ，３ｂ，３ｃ）に備えられたファン（３２Ｌ，３２Ｒ）のうち、少なくとも一基のファン（３２Ｌ，３２Ｒ）のモータ（３２２）の回転速度を、他のファン（３２Ｌ，３２Ｒ）のモータ（３２２）の回転速度とは異ならせる駆動制御を行うように前記ファン駆動制御部（４１）に指示する請求項１から３の何れかに記載の室外マルチユニット。
【請求項５】
前記回転速度調整部（４２）によって、各室外機（３ａ，３ｂ，３ｃ）に備えられたファン（３２Ｌ，３２Ｒ）のうち、少なくとも一基のファン（３２Ｌ，３２Ｒ）のモータ（３２２）の回転速度を、他のファン（３２Ｌ，３２Ｒ）のモータ（３２２）の回転速度とは異ならせる駆動制御を行うように前記ファン駆動制御部（４１）に指示するか否かの指示を入力する共振音回避指示入力部（４３１）を更に備える請求項４に記載の室外マルチユニット。
【請求項６】
前記回転速度調整部（４２）によって、互いに隣り合う室外機に設けられた前記熱交換器（３１）の側面のうちの当該室外機の側面を介して対向し合う側面の有効伝熱面積が互いに等しい場合に、当該室外機（３ａ，３ｂ，３ｃ）の側面を介して隣り合うファン（３２Ｌ，３２Ｒ）のモータ（３２２）の回転速度が一致する駆動制御を行うように前記ファン駆動制御部（４１）に指示するか否かの指示を入力する偏流回避指示入力部（４３２）を更に備える請求項１及び請求項３から５の何れかに記載の室外マルチユニット。
【請求項７】
前記回転速度調整部（４２）によって、互いに隣り合う室外機に設けられた前記熱交換器（３１）の側面のうちの当該室外機の側面を介して対向し合う側面の有効伝熱面積が互いに異なる場合に、当該室外機（３ａ，３ｂ，３ｃ）の側面を介して隣り合うファン（３２Ｌ，３２Ｒ）のうちの一方のファン（３２Ｒ）のモータ（３２２）の回転速度と他方のファン（３２Ｌ）側の前記有効伝熱面積との積が、当該他方のファン（３２Ｌ）のモータ（３２２）の回転速度と当該一方のファン（３２Ｒ）側の前記有効伝熱面積との積と等しくなる駆動制御を行うように前記ファン駆動制御部（４１）に指示するか否かの指示を入力する偏流回避指示入力部（４３２）を更に備える請求項２から５の何れかに記載の室外マルチユニット。
【発明の詳細な説明】
【技術分野】
【０００１】
本発明は、複数台の室外機が同一の冷媒循環系統に接続されてなる室外マルチユニットに関し、特に、各室外機に備えられた２基以上の室外ファンを駆動する技術に関する。
【背景技術】
【０００２】
従来から、下記特許文献１のように、複数個のファンを搭載した室外ユニットを備えた空気調和機において、当該複数個のファンを駆動するファンモータの回転数（ファンモータ速度）を互いに異ならせて、騒音レベルを変更する技術が開示されている。
【先行技術文献】
【特許文献】
【０００３】
【特許文献１】特開２００５−１８０８４２号公報
【発明の概要】
【発明が解決しようとする課題】
【０００４】
しかしながら、上記技術を適用して、複数台の室外機を互いに隙間を設けて一列に並べて配置し、当該各室外機に備えられた熱交換器を同一の冷媒循環系統に接続して空気調和装置を構成した場合に、室外機の側面を介して隣り合うファンを駆動するモータの回転速度が異なると、当該室外機間の隙間に流入する外気のうち、回転速度が大きい方のファン側の側面の吸込口から吸い込まれる外気が、回転速度が小さい方のファン側の側面の吸込口から吸い込まれる外気よりも多くなる通風偏流が生じる虞があった。
【０００５】
この通風偏流が生じると、回転速度が小さい方のファンを備えた室外機の熱交換器では、回転速度が大きい方のファンを備えた室外機の熱交換器に比して、有効に熱交換できず、熱交換能力が低下する。また、これによって、各室外機の熱交換器に循環される冷媒量が異なる冷媒の偏流を併発させ、冷媒の循環が妨げられる虞があった。
【０００６】
そこで、本発明は、このような事情に鑑みてなされたものであり、互いに隙間を設けて一列に並べて配置される複数台の室外機を備えた室外マルチユニットにおいて、室外機間の隙間から吸い込まれる外気に通風偏流を生じさせず、当該通風偏流に起因して冷媒の偏流が併発されることを回避することができる室外マルチユニットを提供することを目的とする。
【課題を解決するための手段】
【０００７】
本発明の室外マルチユニットは、互いに隙間を設けて一列に並べて配置される複数台の室外機（３ａ，３ｂ，３ｃ）を備えた室外マルチユニット（３０）であって、各室外機（３ａ，３ｂ，３ｃ）は、三側面（３９Ｌ，３９Ｆ，３９Ｒ）のそれぞれに外気を内部に吸い込むための吸込口を備えるとともに、上面に当該ケーシング（３９）内部の空気を吹き出すための吹出口を備えたケーシング（３９）と、吸込口を備えた前記三側面（３９Ｌ，３９Ｆ，３９Ｒ）に沿って配置された三側面を有し、当該室外マルチユニット（３０）に備えられた全ての室外機（３ａ，３ｂ，３ｃ）間で同一の冷媒循環系統に接続された熱交換器（３１）と、前記ケーシング（３９）における前記熱交換器（３１）の内側に、当該熱交換器（３１）の両端の側面が対向し合う方向に二基以上並べて配置され、それぞれ、モータ（３２２）と当該モータ（３２２）の回転駆動によって回転される羽根車（３２１）とを有するファン（３２Ｌ，３２Ｒ）と、を備え、互いに隣り合う室外機は、一方の室外機に設けられた前記熱交換器（３１）の前記三側面のうちの端の側面と、他方の室外機に設けられた前記熱交換器（３１）の前記三側面のうちの端の側面とが対向しており、ファン（３２Ｌ，３２Ｒ）のモータ（３２２）を回転駆動制御するファン駆動制御部（４１）と、互いに隣り合う室外機に設けられた前記熱交換器（３１）の側面のうちの当該室外機の側面を介して対向し合う側面の有効伝熱面積が互いに等しい場合に、当該室外機（３ａ，３ｂ，３ｃ）の側面を介して隣り合うファン（３２Ｌ，３２Ｒ）のモータ（３２２）の回転速度が一致する駆動制御を行うように前記ファン駆動制御部（４１）に指示する回転速度調整部（４２）と、を備える。
【０００８】
この構成では、回転速度調整部（４２）によって、室外機（３ａ，３ｂ，３ｃ）の側面を介して隣り合うファン（３２Ｌ，３２Ｒ）のモータ（３２２）の回転速度が一致するように調整されるため、当該隣り合うファンを備えた２つの室外機間の隙間から吸い込まれる外気の量が同程度にされ、何れか一方の側面からの外気の吸い込み量が他方の側面からの外気の吸い込み量よりも多くなる通風偏流が生じることが回避される。
【０００９】
また、これによって、互いに隣り合う室外機に設けられた熱交換器（３１）の三側面のうちの、当該室外機の側面を介して対向し合う側面における熱交換能力が同程度にされ、当該熱交換器（３１）の熱交換能力が異なることによって、同一の冷媒循環系統で循環される冷媒の偏流が併発する虞が回避される。
【００１０】
本発明の室外マルチユニットは、互いに隙間を設けて一列に並べて配置される複数台の室外機（３ａ，３ｂ，３ｃ）を備えた室外マルチユニット（３０）であって、各室外機（３ａ，３ｂ，３ｃ）は、三側面（３９Ｌ，３９Ｆ，３９Ｒ）のそれぞれに外気を内部に吸い込むための吸込口を備えるとともに、上面に当該ケーシング（３９）内部の空気を吹き出すための吹出口を備えたケーシング（３９）と、吸込口を備えた前記三側面（３９Ｌ，３９Ｆ，３９Ｒ）に沿って配置された三側面を有し、当該室外マルチユニット（３０）に備えられた全ての室外機（３ａ，３ｂ，３ｃ）間で同一の冷媒循環系統に接続された熱交換器（３１）と、前記ケーシング（３９）における前記熱交換器（３１）の内側に、当該熱交換器（３１）の両端の側面が対向し合う方向に二基以上並べて配置され、それぞれ、モータ（３２２）と当該モータ（３２２）の回転駆動によって回転される羽根車（３２１）とを有するファン（３２Ｌ，３２Ｒ）と、を備え、互いに隣り合う室外機は、一方の室外機に設けられた前記熱交換器（３１）の前記三側面のうちの端の側面と、他方の室外機に設けられた前記熱交換器（３１）の前記三側面のうちの端の側面とが対向しており、ファン（３２Ｌ，３２Ｒ）のモータ（３２２）を回転駆動制御するファン駆動制御部（４１）と、互いに隣り合う室外機に設けられた前記熱交換器（３１）の側面のうちの当該室外機の側面を介して対向し合う側面の有効伝熱面積が互いに異なる場合に、当該室外機（３ａ，３ｂ，３ｃ）の側面を介して隣り合うファン（３２Ｌ，３２Ｒ）のうちの一方のファン（３２Ｒ）のモータ（３２２）の回転速度と他方のファン（３２Ｌ）側の前記有効伝熱面積との積が、当該他方のファン（３２Ｌ）のモータ（３２２）の回転速度と当該一方のファン（３２Ｒ）側の前記有効伝熱面積との積と等しくなる駆動制御を行うように前記ファン駆動制御部（４１）に指示する回転速度調整部（４２）と、を備えている。
【００１１】
この構成では、回転速度調整部（４２）によって、互いに隣り合う室外機に設けられた熱交換器（３１）の側面のうちの、当該室外機の側面を介して対向し合う側面の有効伝熱面積が互いに異なる場合に、当該室外機（３ａ，３ｂ，３ｃ）の側面を介して隣り合うファン（３２Ｌ，３２Ｒ）のうちの一方のファン（３２Ｒ）のモータ（３２２）の回転速度と他方のファン（３２Ｌ）側の有効伝熱面積との積が、当該他方のファン（３２Ｌ）のモータ（３２２）の回転速度と当該一方のファン（３２Ｒ）側の有効伝熱面積との積と等しくなる駆動制御を行うように、当該２つのファン（３２Ｌ，３２Ｒ）のモータ（３２２）の回転速度が調整される。
【００１２】
このため、有効伝熱面積が小さい側の熱交換器（３１）では、有効伝熱面積が大きい側の熱交換器（３１）に比して、有効伝熱面積が小さい分だけ速い回転速度で羽根車（３２１）が回転し、これによって、吸込口から吸い込まれる外気の量が多くなるため、有効伝熱面積が小さいことによる熱交換能力の低下が補われる。
【００１３】
また、これによって、互いに隣り合う室外機に設けられた熱交換器（３１）の三側面のうちの、当該室外機の側面を介して対向し合う側面における熱交換能力が同程度にされ、当該熱交換器（３１）の熱交換能力が異なることによって、同一の冷媒循環系統で循環される冷媒の偏流が併発する虞が回避される。
【００１４】
また、前記室外マルチユニットにおいて、前記各室外機（３ａ，３ｂ，３ｃ）は、当該室外マルチユニット（３０）に備えられた全ての室外機（３ａ，３ｂ，３ｃ）間で同一の冷媒循環系統に接続された圧縮機（３４）を備え、前記回転速度調整部（４２）は、室外機（３ａ，３ｂ，３ｃ）の側面を介して隣り合うファン（３２Ｌ，３２Ｒ）のモータ（３２２）の回転速度を調整する駆動制御を行うように前記ファン駆動制御部（４１）に指示する場合に、更に、前記各室外機（３ａ，３ｂ，３ｃ）に備えられた各圧縮機（３４）から吐出される冷媒の圧力（ＨＰａ，ＨＰｂ，ＨＰｃ）が、予め定められた誤差（ＤＦ）の範囲内で等しくなるように、前記各室外機（３ａ，３ｂ，３ｃ）に備えられたファンのうち、当該室外機（３ａ，３ｂ，３ｃ）の側面を介して隣り合うファンが存在しないファン（３２Ｌａ，３２Ｒｃ）のモータ（３２２）の回転速度を調整する駆動制御を行うように前記ファン駆動制御部（４１）に指示することが好ましい。
【００１５】
室外機（３ａ，３ｂ，３ｃ）の側面を介して隣り合うファン（３２Ｌ，３２Ｒ）のモータ（３２２）の回転速度を調整したとしても、互いに隣り合う室外機に設けられた熱交換器（３１）の三側面のうちの、当該室外機の側面を介して対向し合う側面とは異なる側面における熱交換能力が互いに異なるために、当該両室外機の圧縮機から吐出される冷媒の圧力が異なる事象が生じ、各室外機（３ａ，３ｂ，３ｃ）を循環する冷媒の偏流が生じる虞がある。
【００１６】
しかし、この構成では、各室外機（３ａ，３ｂ，３ｃ）に備えられた各圧縮機（３４）から吐出される冷媒の圧力（ＨＰａ，ＨＰｂ，ＨＰｃ）が予め定められた誤差（ＤＦ）の範囲内で等しくされるため、各室外機（３ａ，３ｂ，３ｃ）から吐出される冷媒量がほぼ等しくなるように調整され、各室外機（３ａ，３ｂ，３ｃ）を循環する冷媒の偏流が生じる虞が回避される。
【００１７】
また、前記室外マルチユニットにおいて、前記回転速度調整部（４２）は、室外機（３ａ，３ｂ，３ｃ）の側面を介して隣り合うファン（３２Ｌ，３２Ｒ）のモータ（３２２）の回転速度を調整する駆動制御を行うように前記ファン駆動制御部（４１）に指示する場合に、更に、各室外機（３ａ，３ｂ，３ｃ）に備えられたファン（３２Ｌ，３２Ｒ）のうち、少なくとも一基のファン（３２Ｌ，３２Ｒ）のモータ（３２２）の回転速度を、他のファン（３２Ｌ，３２Ｒ）のモータ（３２２）の回転速度とは異ならせる駆動制御を行うように前記ファン駆動制御部（４１）に指示することが好ましい。
【００１８】
室外機（３ａ，３ｂ，３ｃ）に備えられた二基以上のファン（３２Ｌ，３２Ｒ）のモータ（３２２）の回転速度が一致すると共振音による騒音が発生する虞があり、更に当該室外機が複数台並んで配置されることによって当該騒音が増大される虞がある。
【００１９】
しかし、この構成では、１つの室外機（３ａ，３ｂ，３ｃ）に備えられたファン（３２Ｌ，３２Ｒ）のモータ（３２２）のうち、少なくとも一基のファン（３２Ｌ，３２Ｒ）のモータ（３２２）の回転速度は、当該１つの室外機（３ａ，３ｂ，３ｃ）内の他のファン（３２Ｌ，３２Ｒ）のモータ（３２２）の回転速度とは異なるように調整される。このため、当該１つの室外機（３ａ，３ｂ，３ｃ）において共振音によって騒音が発生する虞が軽減される。また、これによって、室外機が複数台並べて配置された場合に共振音による騒音が増大される虞も軽減される。
【００２０】
また、前記室外マルチユニットにおいて、前記回転速度調整部（４２）によって、各室外機（３ａ，３ｂ，３ｃ）に備えられたファン（３２Ｌ，３２Ｒ）のうち、少なくとも一基のファン（３２Ｌ，３２Ｒ）のモータ（３２２）の回転速度を、他のファン（３２Ｌ，３２Ｒ）のモータ（３２２）の回転速度とは異ならせる駆動制御を行うように前記ファン駆動制御部（４１）に指示するか否かの指示を入力する共振音回避指示入力部（４３１）を更に備えることが好ましい。
【００２１】
この構成では、回転速度調整部（４２）によって、１つの室外機（３ａ，３ｂ，３ｃ）に備えられたファン（３２Ｌ，３２Ｒ）のうち、少なくとも一基のファン（３２Ｌ，３２Ｒ）のモータ（３２２）の回転速度を、他のファン（３２Ｌ，３２Ｒ）のモータ（３２２）の回転速度とは異ならせる駆動制御を行うようにファン駆動制御部（４１）に指示するか否かを、共振音回避指示入力部（４３１）を用いてユーザーに入力させることができる。
【００２２】
このため、例えば、周囲環境の騒音が大きく、室外マルチユニットにおいて共振音による騒音が発生しても問題にならないような場合は、回転速度調整部（４２）によるファン駆動制御部（４１）への上記指示をさせない等、室外マルチユニットが配設される環境に応じて、回転速度調整部（４２）によるファン駆動制御部（４１）への上記指示をするか否かを柔軟に切り替えさせることができる。
【００２３】
また、前記室外マルチユニットにおいて、前記回転速度調整部（４２）によって、互いに隣り合う室外機に設けられた前記熱交換器（３１）の側面のうちの当該室外機の側面を介して対向し合う側面の有効伝熱面積が互いに等しい場合に、当該室外機（３ａ，３ｂ，３ｃ）の側面を介して隣り合うファン（３２Ｌ，３２Ｒ）のモータ（３２２）の回転速度が一致する駆動制御を行うように前記ファン駆動制御部（４１）に指示するか否かの指示を入力する偏流回避指示入力部（４３２）を更に備えることが好ましい。
【００２４】
また、前記室外マルチユニットにおいて、前記回転速度調整部（４２）によって、互いに隣り合う室外機に設けられた前記熱交換器（３１）の側面のうちの当該室外機の側面を介して対向し合う側面の有効伝熱面積が互いに異なる場合に、当該室外機（３ａ，３ｂ，３ｃ）の側面を介して隣り合うファン（３２Ｌ，３２Ｒ）のうちの一方のファン（３２Ｒ）のモータ（３２２）の回転速度と他方のファン（３２Ｌ）側の前記有効伝熱面積との積が、当該他方のファン（３２Ｌ）のモータ（３２２）の回転速度と当該一方のファン（３２Ｒ）側の前記有効伝熱面積との積と等しくなる駆動制御を行うように前記ファン駆動制御部（４１）に指示するか否かの指示を入力する偏流回避指示入力部（４３２）を更に備えていてもよい。
【００２５】
これらの構成では、回転速度調整部（４２）によってファン駆動制御部（４１）に上記指示をさせるか否か、つまり、互いに隣り合う室外機に設けられた熱交換器（３１）の三側面のうちの当該室外機の側面を介して対向し合う側面における熱交換能力を同程度にさせるか否かを、偏流回避指示入力部（４３２）を用いてユーザーに入力させることができる。
【００２６】
このため、例えば、各室外機間の隙間を大きくすることが可能である場合は、室外機間の隙間を介して隣り合うファンの回転速度の如何に応じて、当該隙間から吸い込まれる外気に通風偏流が生じる可能性は低く、互いに隣り合う室外機に設けられた熱交換器（３１）の三側面のうちの当該室外機の側面を介して対向し合う側面における熱交換能力を同程度にすることによって、冷媒の偏流の発生を回避させる必要はないものと考えられるので、このような場合は、回速度調整部（４２）によるファン駆動制御部（４１）への上記指示をさせない等、室外マルチユニットが配設される環境に応じて、回転速度調整部（４２）によるファン駆動制御部（４１）への上記指示をするか否かを柔軟に切り替えさせることができる。
【発明の効果】
【００２７】
本発明によれば、互いに隙間を設けて一列に並べて配置される複数台の室外機を備えた室外マルチユニットにおいて、室外機間の隙間から吸い込まれる外気に通風偏流を生じさせず、当該通風偏流に起因して冷媒の偏流が併発されることを回避することができる室外マルチユニットを提供することが可能になる。
【図面の簡単な説明】
【００２８】
【図１】本発明に係る室外マルチユニットを備えた空気調和装置の構成の一例を示す概略構成図。
【図２】室外マルチユニットに備わる各室外機の配置及び通風経路の一例を示す平面図。
【図３】回転速度調整部によって調整されるモータの回転速度の一例を示す説明図。
【図４】室外マルチユニットに備わる各室外機の配置及び通風経路の図２とは別の一例を示す平面図。
【図５】室外マルチユニットに備わる各室外機の配置の図２及び図４とは別の一例を示す平面図。
【図６】回転速度調整部によって両端の室外ファンのモータの回転速度が調整される制御の一例を示すフローチャート。
【発明を実施するための形態】
【００２９】
[第一実施形態]
以下、本発明の一実施形態に係る室外マルチユニット及び当該室外マルチユニットを備えてなる空気調和装置について、図面を参照して説明する。図１に示すように、空気調和装置１は、２台の室内機２ａ，２ｂと、３台の室外機３ａ，３ｂ，３ｃを備えてなる室外マルチユニット３０と、制御部４と、を備えている。
【００３０】
尚、図中において、２台の室内機２ａ，２ｂは、同一の構成であるものとして、室内機２ｂ内の各部の記載を省略する。同様に、３台の室内機３ａ，３ｂ，３ｃは、同一の構成であるものとして、室内機３ｂ，３ｃ内の各部の記載を省略する。
【００３１】
また、空気調和装置１は、ガス冷媒配管１２と、液冷媒配管１１と、を備え、室内機２ａ，２ｂと室外機３ａ，３ｂ，３ｃとを液冷媒配管１１及びガス冷媒配管１２で接続して、一つの冷媒循環系統からなる冷媒回路１０を構成している。
【００３２】
ここで、ガス冷媒配管１２は、各室外機３ａ，３ｂ，３ｃに配設された四路切換弁３３及び圧縮機３４を介して、室内機２ａ，２ｂに配設された熱交換器２１と各室外機３ａ，３ｂ，３ｃに配設された熱交換器３１とを接続し、室内機２ａ，２ｂの冷房運転時に熱交換器２１で蒸発されたガス冷媒を循環させるための冷媒用配管を示す。
【００３３】
液冷媒配管１１は、各室外機３ａ，３ｂ，３ｃに配設された膨張弁３５を介して、室内機２ａ，２ｂに配設された熱交換器２１と各室外機３ａ，３ｂ，３ｃに配設された熱交換器３１とを接続し、室内機２ａ，２ｂの冷房運転時に各室外機３ａ，３ｂ，３ｃに配設された熱交換器３１で凝縮された液冷媒を循環させる冷媒用配管を示す。
【００３４】
尚、以下では、２台の室内機２ａ，２ｂを総称して説明する場合に、室内機２と示すものとする。同様に、３台の室外機３ａ，３ｂ，３ｃを総称して説明する場合に、室外機３と示すものとする。
【００３５】
室内機２は、熱交換器２１と、室内ファン２２と、を備えている。
【００３６】
熱交換器２１は、例えば、クロスフィン式のフィン・アンド・チューブ型熱交換器により構成され、液冷媒配管１１又はガス冷媒配管１２から流入される冷媒と室内空気とを熱交換する。
【００３７】
室内ファン２２は、羽根車２２１と、モータ２２２と、インバータ２２３と、を備えている。羽根車２２１は、インバータ２２３により制御されるモータ２２２により駆動される。室内ファン２２は、羽根車２２１の回転により、室内空気を熱交換器２１に送ることにより熱交換器２１における熱交換を促進させる。
【００３８】
室外機３は、四路切換弁３３と、圧縮機３４と、熱交換器３１と、２基の室外ファン３２Ｌ，３２Ｒと、膨張弁３５と、低圧圧力センサ３７と、高圧圧力センサ３８と、を備えている。
【００３９】
四路切換弁３３は、圧縮機３４の吐出側に接続する吐出ポートＰ１、２つの切替ポートＰ２，Ｐ３、及び圧縮機３４の吸入側に接続する吸入ポートＰ４を有し、ポートＰ１とポートＰ２が連通し、かつ、ポートＰ３とポートＰ４が連通する状態（図１に実線で示す状態）と、ポートＰ１とポートＰ３が連通し、かつ、ポートＰ２とポートＰ４が連通する状態（図１に一点鎖線で示す状態）とに切り替わる。つまり、制御部４による四路切換弁３３の切り替え動作によって、冷房運転であるか暖房運転であるかに応じて適宜冷媒の循環方向が切り替えられる。
【００４０】
圧縮機３４は、例えば、図略の圧縮機構と当該圧縮機構を駆動する図略の電動機とを円筒状のハウジングに収納して構成された密閉型のスクロール圧縮機であり、制御部４によって電動機の回転数が段階的に又は連続的に変更されて、その容量が可変に構成されている。
【００４１】
熱交換器３１は、例えば、クロスフィン式のフィン・アンド・チューブ型熱交換器により構成され、液冷媒配管１１又はガス冷媒配管１２から流入される冷媒と室外空気とを熱交換する。
【００４２】
室外ファン３２Ｌは、羽根車３２１と、モータ３２２と、インバータ３２３と、を備えている。羽根車３２１は、インバータ３２３により制御されるモータ３２２により駆動される。尚、室外ファン３２Ｒは、室外ファン３２Ｌと同一の構成であるものとして、各部の記載を省略する。
【００４３】
室外ファン３２Ｌ，３２Ｒは、羽根車３２１の回転により、後述の室外機３の側面に設けられた吸込口から室外空気を吸入し、熱交換器３１に対して当該吸入した室外空気を送風することにより、熱交換器３１における熱交換を促進させる。
【００４４】
膨張弁３５は、制御部４によって所定の開度に調整され、液冷媒配管１１内を循環する冷媒を減圧する。
【００４５】
低圧圧力センサ３７は、冷房運転時における冷媒の循環方向における圧縮機３４よりも上流側（圧縮機３４の吸入側）に設けられ、冷房運転時に圧縮機３４へ流入される冷媒の圧力を検出し、検出した圧力を示す制御信号を制御部４に出力する。
【００４６】
一方、高圧圧力センサ３８は、冷房運転時における冷媒の循環方向における圧縮機３４よりも下流側（圧縮機３４の吐出側）に設けられ、圧縮機３４から吐出される冷媒の圧力を検出し、検出した圧力を示す制御信号を制御部４に出力する。
【００４７】
制御部４は、例えば、ＣＰＵやＲＯＭやＲＡＭ等のメモリを備えたマイクロコンピュータで構成され、各室内機２ａ，２ｂ及び各室外機３ａ，３ｂ，３ｃに備えられた各部の動作を制御し、各室内機２ａ，２ｂ及び各室外機３ａ，３ｂ，３ｃの運転を制御する。
【００４８】
特に、制御部４は、ファン駆動制御部４１と、回転速度調整部４２と、指示受付部４３として機能する。
【００４９】
指示受付部４３は、リモコンや室内機２及び室外機３に設けられた操作ボタン等のユーザーによる操作によって入力された、室内機２及び室外機３の運転に係る各種指示を受け付ける。尚、ファン駆動制御部４１及び回転速度調整部４２による制御の詳細については後述する。
【００５０】
次に、空気調和装置１の運転動作を説明する。空気調和装置１の運転時には、冷媒回路１０において冷媒が相変化しつつ循環して蒸気圧縮式の冷凍サイクルが行われる。
【００５１】
空気調和装置１の冷房運転時には、各室内機２ａ，２ｂの熱交換器２１は蒸発器として機能し、冷媒を室内空気から吸熱させて蒸発させる。これにより、室内空気が冷却される。蒸発された冷媒は、ガス冷媒配管１２から各室外機３ａ，３ｂ，３ｃに流入される。室外機３に流入された冷媒は、制御部４によって図１に実線で示す状態に切り替えられた四路切換弁３３を介して、圧縮機３４に吸入される。そして、圧縮機３４によって圧縮された冷媒は、四路切換弁３３を介して、熱交換器３１へ流入される。熱交換器３１は凝縮器として機能し、冷媒を室外空気へ放熱させて凝縮させる。凝縮された冷媒は、膨張弁３５で減圧されて低温低圧状態となり、液冷媒配管１１から各室内機２ａ，２ｂの熱交換器２１に流入される。空気調和装置１の冷房運転時には、このように冷媒の循環が繰り返される。
【００５２】
空気調和装置１の暖房運転時には、各室内機２ａ，２ｂの熱交換器２１は凝縮器として機能し、冷媒を室内空気へ放熱させて凝縮させる。これにより、室内空気が加熱される。凝縮された冷媒は、液冷媒配管１１から各室外機３ａ，３ｂ，３ｃに流入される。室外機３に流入された冷媒は、膨張弁３５で減圧されて低温低圧状態となり、熱交換器３１へ流入される。熱交換器３１は蒸発器として機能し、冷媒を室外空気から吸熱させて蒸発させる。蒸発された冷媒は、制御部４によって図１に一点鎖線で示す状態に切り替えられた四路切換弁３３を介して、圧縮機３４に吸入される。そして、圧縮機３４によって圧縮された冷媒は、四路切換弁３３を介して、ガス冷媒配管１２から各室内機２ａ，２ｂの熱交換器２１に流入される。空気調和装置１の暖房運転時には、このように冷媒の循環が繰り返される。
【００５３】
次に、ファン駆動制御部４１及び回転速度調整部４２による制御の詳細について説明する。
【００５４】
例えば、図２に示すように、室外機３ａは、左側面３９Ｌａ、正面３９Ｆａ、右側面３９Ｒａ、及び背面３９Ｅａの４側面と、図略の上面（紙面手前側）及び底面（紙面奥側）とを有する直方体のケーシング３９ａを備えている。
【００５５】
左側面３９Ｌａ、正面３９Ｆａ、及び右側面３９Ｒａの３側面には、例えば格子状の複数の開口部からなる、室外空気を吸入するための吸込口が設けられている。室外機３ａにおける熱交換器３１ａの３側面は、当該吸込口を備えた三側面３９Ｌａ、３９Ｆａ、３９Ｒａに沿って配置されている。
【００５６】
ケーシング３９ａの上面（紙面手前側）には、ケーシング３９ａ内の空気を吹き出すための吹出口が設けられ、また、当該室外機３ａにおける室外ファン３２Ｌａ，３２Ｒａが、熱交換器３１ａの上方から見て内側であって吹出口の内側に設けられている。つまり、室外ファン３２Ｌａ，３２Ｒａの駆動によって、ケーシング３９ａ内の空気が吹出口から外部に吹き出される。
【００５７】
これと同様に、室外機３ｂは、左側面３９Ｌｂ、正面３９Ｆｂ、右側面３９Ｒｂ、及び背面３９Ｅｂの４側面と、図略の上面（紙面手前側）及び底面（紙面奥側）とを有する直方体のケーシング３９ｂを備えている。
【００５８】
左側面３９Ｌｂ、正面３９Ｆｂ、及び右側面３９Ｒｂの３側面には、室外空気を吸入するための吸込口が設けられ、室外機３ｂにおける熱交換器３１ｂの３側面は、当該吸込口を備えた三側面３９Ｌｂ、３９Ｆｂ、３９Ｒｂに沿って配置されている。
【００５９】
ケーシング３９ｂの上面（紙面手前側）には、ケーシング３９ｂ内の空気を吹き出すための吹出口が設けられ、また、当該室外機３ｂにおける室外ファン３２Ｌｂ，３２Ｒｂが、熱交換器３１ｂの上方から見て内側であって吹出口の内側に設けられている。つまり、室外ファン３２Ｌｂ，３２Ｒｂの駆動によって、ケーシング３９ｂ内の空気が吹出口から外部に吹き出される。
【００６０】
更に同様にして、室外機３ｃは、左側面３９Ｌｃ、正面３９Ｆｃ、右側面３９Ｒｃ、及び背面３９Ｅｃの４側面と、図略の上面（紙面手前側）及び底面（紙面奥側）とを有する直方体のケーシング３９ｃを備えている。
【００６１】
左側面３９Ｌｃ、正面３９Ｆｃ、及び右側面３９Ｒｃの３側面には、室外空気を吸入するための吸込口が設けられ、室外機３ｃにおける熱交換器３１ｃの３側面は、当該吸込口を備えた三側面３９Ｌｃ、３９Ｆｃ、３９Ｒｃに沿って配置されている。
【００６２】
ケーシング３９ｃの上面（紙面手前側）には、ケーシング３９ｃ内の空気を吹き出すための吹出口が設けられ、また、当該室外機３ｃにおける室外ファン３２Ｌｃ，３２Ｒｃが、熱交換器３１ｃの上方から見て内側であって吹出口の内側に設けられている。つまり、室外ファン３２Ｌｃ，３２Ｒｃの駆動によって、ケーシング３９ｃ内の空気が吹出口から外部に吹き出される。
【００６３】
そして、各室外機３ａ，３ｂ，３ｃは、例えば、メンテナンス作業員一名だけが通れる程度に、互いに隙間を設けて一列に並べて配置されており、室外機３ａの右側面３９Ｒａと室外機３ｂの左側面３９Ｌｂが隙間を介して対向して配置され、室外機３ｂの右側面３９Ｒｂと室外機３ｃの左側面３９Ｌｃが隙間を介して対向して配置されている。
【００６４】
尚、以下では、ケーシング３９ａ，３９ｂ，３９ｃを総称して説明する場合に、ケーシング３９と示すものする。また、左側面３９Ｌａ，３９Ｌｂ，３９Ｌｃを総称して説明する場合に左側面３９Ｌと示し、正面３９Ｆａ，３９Ｆｂ，３９Ｆｃを総称して説明する場合に正面３９Ｆと示し、背面３９Ｅａ，３９Ｅｂ，３９Ｅｃを総称して説明する場合に背面３９Ｅと示し、右側面３９Ｒａ，３９Ｒｂ，３９Ｒｃを総称して説明する場合に右側面３９Ｒと示すものとする。
【００６５】
当該構成において、ファン駆動制御部４１は、室外ファン３２Ｌ，３２Ｒのモータ３２２を回転駆動制御する。当該回転駆動による羽根車３２１の回転によって、ケーシング３９の３側面に設けられた吸込口から外気がケーシング３９内部に吸い込まれ、熱交換器３１で熱交換された後の空気が、ケーシング３９上部（図中において手前側）の吹出口から吹き出される。
【００６６】
具体的には、ファン駆動制御部４１は、後述する回転速度調整部４２によって指示された駆動周波数でインバータ３２３を駆動し、これによって、モータ３２２を当該駆動周波数によって定められる所定の回転速度で回転駆動させる。
【００６７】
回転速度調整部４２は、各インバータ３２３の駆動周波数をファン駆動制御部４１に指示し、これによって、当該各インバータ３２３によって制御される各モータ３２２の回転速度を調整する。
【００６８】
特に、本実施形態では、回転速度調整部４２は、互いに隣り合う室外機３に設けられた熱交換器３１の側面のうちの当該室外機３の側面を介して対向し合う側面の有効伝熱面積が互いに等しい場合に、当該室外機３の側面を介して隣り合う室外ファン３２Ｌ、３２Ｒのモータ３２２の回転速度が一致するように、当該モータ３２２を制御するインバータ３２３の駆動周波数を同一の駆動周波数に設定し、当該設定した駆動周波数をファン駆動制御部４１に指示する。
【００６９】
具体的には、本実施形態では、図２に示すように、室外機３ａの右側面３９Ｒａに沿って配置された熱交換器３１ａの側面の有効伝熱面積と、室外機３ｂの左側面３９Ｌｂに沿って配置された熱交換器３１ｂの側面の有効伝熱面積とが互いに等しく、室外機３ｂの右側面３９Ｒｂに沿って配置された熱交換器３１ｂの側面の有効伝熱面積と、室外機３ｃの左側面３９Ｌｃに沿って配置された熱交換器３１ｃの側面の有効伝熱面積と、が互いに等しく構成されているものとする。
【００７０】
この場合に、回転速度調整部４２は、図３（ａ）に示すように、室外機３ａのケーシング３９ａの右側面３９Ｒａと室外機３ｂのケーシング３９ｂの左側面３９Ｌｂとを介して隣り合う室外ファン３２Ｒａ、３２Ｌｂのモータ３２２の回転速度をｒｖ２に一致させるために、当該モータ３２２を制御する２つのインバータ３２３の駆動周波数を同一のｆ２に設定する。
【００７１】
これと同様にして、回転速度調整部４２は、室外機３ｂのケーシング３９ｂの右側面３９Ｒｂと室外機３ｂのケーシング３９ｂの左側面３９Ｌｂとを介して隣り合う室外ファン３２Ｒｂ、３２Ｌｂのモータ３２２の回転速度をｒｖ２に一致させるために、当該モータ３２２を制御する２つのインバータ３２３の駆動周波数を同一のｆ２に設定する。
【００７２】
尚、回転速度調整部４２は、室外マルチユニット３０における両端の室外ファン３２Ｌａ，３２Ｒｃのモータ３２２を制御する２つのインバータ３２３の駆動周波数を、それぞれ、ｆ２とは異なるｆ１，ｆ３に設定する。
【００７３】
これによって、室外機３ａの室外ファン３２Ｒａと室外機３ｂの３２Ｌｂのモータ３２２の回転速度が同じになり、図２の実線矢印に示すように、室外機３ａのケーシング３９ａの右側面３９Ｒａに設けられた吸込口から通風経路ＡＲａで吸い込まれる外気の量と、室外機３ｂのケーシング３９ｂの左側面３９Ｌｂに設けられた吸込口から通風経路ＡＬｂで吸い込まれる外気の量とが同程度にされる。これと同様に、室外機３ｂのケーシング３９ｂの右側面３９Ｒｂに設けられた吸込口から通風経路ＡＲｂで吸い込まれる外気の量と、室外機３ｃのケーシング３９ｃの左側面３９Ｌｃに設けられた吸込口から通風経路ＡＬｃで吸い込まれる外気の量とが、同程度にされる。
【００７４】
したがって、隙間を介して隣接する室外機３の２側面のうち、何れか一方の側面からの外気の吸い込み量が他方の側面からの外気の吸い込み量よりも多くなる通風偏流が生じることが回避される。
【００７５】
また、これによって、互いに隣り合う室外機に設けられた熱交換器３１の三側面のうちの、当該室外機の側面を介して対向し合う側面における熱交換能力が同程度となる。このため、当該熱交換器３１の熱交換能力が異なることによって、同一の冷媒循環系統で循環される冷媒の偏流が併発する虞が回避される。
【００７６】
尚、回転速度調整部４２は、例えば、指示受付部４３によって受け付けられた、即ちリモコン等を用いてユーザーによって入力された目標温度等から求められる、室内機２ａ，２ｂの空調負荷に応じて、インバータ３２３の駆動周波数ｆ１〜ｆ３の値を適宜調整し、当該インバータ３２３により制御されるモータ３２２を回転速度ｒｖ１〜ｒｖ３で回転駆動させる。
【００７７】
ただし、この場合でも、回転速度調整部４２によって、室外機３の側面を介して隣り合う室外ファンのモータ３２２を制御するインバータ３２３の駆動周波数は互いに等しくなるように設定され、これによって、室外機３の側面を介して隣り合う室外ファンのモータ３２２は互いに同じ回転速度で駆動するように制御される。
【００７８】
また、室内機２ａ,２ｂの空調負荷に応じてインバータ３２３の駆動周波数を調整する方法は、本発明の趣旨ではなく、適宜公知技術を利用した方法で実現して構わない。
【００７９】
また、各室外機３ａ，３ｂ，３ｃに備えられる室外ファンの数及び配置形態は、図２に示すものに限定する趣旨ではなく、例えば、室外ファン３２Ｌと室外ファン３２Ｒとの間に室外ファンが更に１基以上設けられ、当該室外機に備えられた各室外ファンが当該室外機の熱交換器３１の両端の側面が対向し合う方向に並べて配置されていてもよいし、二基以上であれば各室外機３ａ，３ｂ，３ｃに備えられる室外ファンの数が異なっていてもよい。
【００８０】
例えば、図４に示すように、各室外機３ａ，３ｂ，３ｃは、３基の室外ファンを備え、室外機３ａは、熱交換器３１ａの両端の側面が対向し合う方向に並べて配置された３基の室外ファン３２Ｌａ，３２Ｍａ，３２Ｒａを備え、室外機３ｂは、熱交換器３１ｂの両端の側面が対向し合う方向に並べて配置された３基の室外ファン３２Ｌｂ，３２Ｍｂ，３２Ｒｂを備え、室外機３ｃは、熱交換器３１ｃの両端の側面が対向し合う方向に並べて配置された３基の室外ファン３２Ｌｃ，３２Ｍｃ，３２Ｒｃを備えていてもよい。
【００８１】
尚、図４においては、室外機３ａの右側面３９Ｒａに沿って配置された熱交換器３１ａの側面の有効伝熱面積と、室外機３ｂの左側面３９Ｌｂに沿って配置された熱交換器３１ｂの側面の有効伝熱面積とが互いに等しく、室外機３ｂの右側面３９Ｒｂに沿って配置された熱交換器３１ｂの側面の有効伝熱面積と、室外機３ｃの左側面３９Ｌｃに沿って配置された熱交換器３１ｃの側面の有効伝熱面積と、が互いに等しく構成されているものとする。
【００８２】
各室外機３ａ，３ｂ，３ｃが、図４に示すように構成されている場合、回転速度調整部４２は、例えば、図３（ｂ）に示すように、室外機３ａのケーシング３９ａの右側面３９Ｒａと室外機３ｂのケーシング３９ｂの左側面３９Ｌｂとを介して隣り合う、室外機３ａの室外ファン３２Ｒａと室外機３ｂの室外ファン３２Ｌｂのモータ３２２の回転速度をｒｖ２に一致させるために、当該モータ３２２を制御する２つのインバータ３２３の駆動周波数を同一のｆ２に設定する。これによって、当該室外機３ａ，３ｂの側面を介して隣り合う室外ファン３２Ｒａ，３２Ｌｂのモータ３２２は、互いに同じ回転速度で駆動するように制御される。
【００８３】
これと同様にして、回転速度調整部４２は、室外機３ｂの中央に配置された室外ファン３２Ｍｂのモータ３２２を制御するインバータ３２３の駆動周波数をｆ２とは異なるｆ５に設定しつつも、室外機３ｂのケーシング３９ｂの右側面３９Ｒｂと室外機３ｃのケーシング３９ｃの左側面３９Ｌｃとを介して隣り合う、室外機３ｂの室外ファン３２Ｒｂと室外機３ｃの３２Ｌｃのモータ３２２の回転速度をｒｖ２に一致させるために、当該モータ３２２を制御する２つのインバータ３２３の駆動周波数を同一のｆ２に設定する。これによって、当該室外機３ｂ，３ｃの側面を介して隣り合う室外ファン３２Ｒｂ，３２Ｌｃのモータ３２２は、互いに同じ回転速度で駆動するように制御される。
【００８４】
尚、回転速度調整部４２は、例えば、指示受付部４３によって受け付けられた、リモコン等を用いてユーザーによって入力された目標温度等によって定められる、室内機２ａ,２ｂの空調負荷に応じて、インバータ３２３の駆動周波数ｆ１〜ｆ６の値を適宜調整する。
【００８５】
ただし、この場合でも、回転速度調整部４２によって、室外機３の側面を介して隣り合う室外ファンのモータ３２２を制御するインバータ３２３の駆動周波数は互いに等しくなるように設定され、室外機３の側面を介して隣り合う室外ファンのモータ３２２は、互いに同じ回転速度で駆動するように制御される。
【００８６】
また、室内機２ａ,２ｂの空調負荷に応じてインバータ３２３の駆動周波数を調整する方法は、本発明の趣旨ではなく、適宜公知技術を利用した方法で実現して構わない。
【００８７】
[第二実施形態]
以下の第二実施形態の説明では、第一実施形態とは異なる部分についてのみ詳述し、第一実施形態と同じ部分については説明を省略する。
【００８８】
第二実施形態では、例えば、図５に示すように、左側に配置された室外機３ａの右側面３９Ｒａに沿って配置された熱交換器３１ａにおける側面３１Ｒａの有効伝熱面積が、室外機３ａと隣り合うように、中央に配置された室外機３ｂの左側面３９Ｌｂに沿って配置された熱交換器３１ｂにおける側面３１Ｌｂの有効伝熱面積よりも大きく（例えば、１．２５倍に）構成されているものとする。
【００８９】
また、第二実施形態では、回転速度調整部４２は、室外機３ａ，３ｂ，３ｃの側面を介して隣り合う熱交換器３１の側面の有効伝熱面積が互いに異なる場合に、当該室外機３ａ，３ｂ，３ｃの側面を介して隣り合う室外ファン３２Ｌ，３２Ｒのうちの一方の室外ファン３２Ｒのモータ３２２の回転速度と他方の室外ファン３２Ｌ側の有効伝熱面積との積が、当該他方の室外ファン３２Ｌのモータ３２２の回転速度と当該一方の室外ファン３２Ｒ側の有効伝熱面積との積と等しくなる駆動制御を行うようにファン駆動制御部４１に指示する。
【００９０】
具体的には、図５に示すように、室外機３ａ，３ｂの側面を介して隣り合う熱交換器３１ａ，３１ｂの側面の有効伝熱面積が互いに異なるため、回転速度調整部４２は、室外ファン３２Ｒａのモータ３２２の回転速度と熱交換器３１ｂにおける側面３１Ｌｂの有効伝熱面積との積が、室外ファン３２Ｌｂのモータ３２２の回転速度と熱交換器３１ａにおける側面３１Ｒａの有効伝熱面積との積が等しくなる駆動制御を行うように、つまり、室外ファン３２Ｌｂのモータ３２２の回転速度を室外ファン３２Ｒａのモータ３２２の回転速度よりも大きく（例えば、１．２５倍に）するように、当該モータ３２２を制御する各インバータ３２３の駆動周波数をそれぞれ設定して、ファン駆動制御部４１に指示する。
【００９１】
つまり、第二実施形態の構成によれば、有効伝熱面積が小さい側の熱交換器３１では、有効伝熱面積が大きい側の熱交換器３１に比して、有効伝熱面積が小さい分だけ速い回転速度で羽根車３２１が回転し、これによって、吸込口から吸い込まれる外気の量が多くなるため、有効伝熱面積が小さいことによる熱交換能力の低下が補われる。また、これによって、互いに隣り合う室外機に設けられた熱交換器３１の三側面のうちの、当該室外機の側面を介して対向し合う側面における熱交換能力が異なることによって、同一の冷媒循環系統で循環される冷媒の偏流が併発する虞が回避される。
【００９２】
尚、図５に示すように、室外機３ｂ，３ｃの側面を介して隣り合う熱交換器３１ｂ，３１ｃの側面の有効伝熱面積が互いに等しく構成されている場合、回転速度調整部４２は、上記のように室外ファン３２Ｌｂ，３２Ｒａの回転速度を調整するようにファン駆動制御部４１に指示しつつも、第一実施形態で説明したように、室外ファン３２Ｒｂのモータ３２２の回転速度と室外ファン３２Ｌｃのモータ３２２の回転速度とを一致させるために、当該２つのモータ３２２を制御するインバータ３２３の駆動周波数を同一に設定してもよい。
【００９３】
[第三実施形態]
以下の第三実施形態の説明では、第一実施形態又は第二実施形態とは異なる部分についてのみ詳述し、第一実施形態又は第二実施形態と同じ部分については説明を省略する。
【００９４】
上記第一実施形態又は第二実施形態で示したように、互いに隣り合う室外機に設けられた熱交換器３１の三側面のうちの、当該室外機の側面を介して対向し合う側面における熱交換能力を同程度にするように、室外機３ａ，３ｂ，３ｃの側面を介して隣り合う室外ファン３２Ｌ，３２Ｒのモータ３２２の回転速度を調整したとしても、当該室外機に設けられた熱交換器３１の三側面のうちの、当該室外機の側面を介して対向し合う側面とは異なる側面における熱交換能力が互いに異なるために、当該両室外機の圧縮機３４から吐出される冷媒の圧力が異なる事象が生じ、各室外機３ａ，３ｂ，３ｃを循環する冷媒の偏流が生じる虞がある。
【００９５】
そこで、第三実施形態では、回転速度調整部４２は、室外機３ａ，３ｂ，３ｃの側面を介して隣り合う室外ファン３２Ｌ，３２Ｒのモータ３２２の回転速度を調整する駆動制御を行うようにファン駆動制御部４１に指示する場合に、更に、各室外機３ａ，３ｂ，３ｃに備えられた高圧圧力センサ３８で検出された、各圧縮機３４から吐出される冷媒の圧力が、予め定められた誤差の範囲内で等しくなるように、各室外機３ａ，３ｂ，３ｃに備えられた室外ファンのうち、当該室外機３ａ，３ｂ，３ｃの側面を介して隣り合う室外ファンが存在しない室外ファン３２Ｌａ，３２Ｒｃ、つまり、室外マルチユニット３０に備えられた室外ファンのうちの両端の室外ファン３２Ｌａ，３２Ｒｃのモータ３２２の回転速度を調整する駆動制御を行うようにファン駆動制御部４１に指示する。
【００９６】
尚、予め定められた誤差は、例えば、製品出荷前の試験運転等による実験値に基づいて予め定められ、制御部４を構成するマイクロコンピュータのＲＯＭ等のメモリに記憶されている。例えば、予め定められた誤差は、各室外機３ａ，３ｂ，３ｃに備えられた各圧縮機３４から吐出される冷媒の圧力が、互いに当該予め定められた誤差よりも大きく異なることが頻発しないように、０．０５ＭＰａ程度に定められる。
【００９７】
具体的には、図６に示すように、回転速度調整部４２は、室外機３ａ，３ｂ，３ｃの側面を介して隣り合う室外ファン３２Ｒａ，３２Ｌｂ，３２Ｒｂ，３２Ｌｃのモータ３２２の回転速度を調整する駆動制御を行うようにファン駆動制御部４１に指示する場合に、更に、各室外機３ａ，３ｂ，３ｃに備えられた室外ファンのうち、当該室外機３ａ，３ｂ，３ｃの側面を介して隣り合う室外ファンが存在しない室外ファン３２Ｌａ、つまり、室外マルチユニット３０に備えられた室外ファンのうちの一端の室外ファン３２Ｌａのモータ３２２の回転速度を調整する駆動制御を行うようにファン駆動制御部４１に指示する制御を開始する。
【００９８】
回転速度調整部４２は、当該制御を開始すると、室外機３ａに備えられた高圧圧力センサ３８で検出された圧縮機３４から吐出される冷媒の圧力ＨＰａが、室外機３ｂに備えられた高圧圧力センサ３８で検出された圧縮機３４から吐出される冷媒の圧力ＨＰｂと予め定められた誤差ＤＦとを加算した圧力よりも大きいか否かを判定する（Ｓ１）。
【００９９】
回転速度調整部４２は、上記冷媒の圧力ＨＰａが、上記冷媒の圧力ＨＰｂと予め定められた誤差ＤＦとを加算した圧力よりも大きいと判定すると（Ｓ１；ＹＥＳ）、室外ファン３２Ｌａのモータ３２２の回転速度を予め定められた１ステップ分だけ加速させるように、当該モータ３２２を制御するインバータ３２３の駆動周波数を設定して、当該設定した駆動周波数で当該インバータ３２３を駆動するようにファン駆動制御部４１に指示し（Ｓ２）、ステップＳ１に戻る。尚、予め定められた１ステップは、制御部４を構成するマイクロコンピュータのＲＯＭ等のメモリに予め記憶されている。
【０１００】
一方、回転速度調整部４２は、上記冷媒の圧力ＨＰａが、上記冷媒の圧力ＨＰｂと予め定められた誤差ＤＦとを加算した圧力以下であると判定すると（Ｓ１；ＮＯ）、更に、上記冷媒の圧力ＨＰａが、上記冷媒の圧力ＨＰｂから予め定められた誤差ＤＦを減算した圧力未満であるか否かを判定する（Ｓ３）。
【０１０１】
回転速度調整部４２は、上記冷媒の圧力ＨＰａが、上記冷媒の圧力ＨＰｂから予め定められた誤差ＤＦを減算した圧力未満であると判定すると（Ｓ３）、室外ファン３２Ｌａのモータ３２２の回転速度を予め定められた１ステップ分だけ減速するように、当該モータ３２２を制御するインバータ３２３の駆動周波数を設定して、当該設定した駆動周波数で当該インバータ３２３を駆動するようにファン駆動制御部４１に指示し（Ｓ４）、ステップＳ１に戻る。
【０１０２】
また、回転速度調整部４２は、ステップＳ３において、上記冷媒の圧力ＨＰａが、上記冷媒の圧力ＨＰｂから予め定められた誤差ＤＦを減算した圧力以上であると判定すると（Ｓ３；ＮＯ）、上記冷媒の圧力ＨＰａが、上記冷媒の圧力ＨＰｂと予め定められた誤差ＤＦの範囲内で等しいものと判断して、室外ファン３２Ｌａの回転速度を調整することなくそのままステップＳ１に戻る。
【０１０３】
尚、回転速度調整部４２は、室外機３ａ，３ｂ，３ｃの側面を介して隣り合う室外ファン３２Ｒａ，３２Ｌｂ，３２Ｒｂ，３２Ｌｃのモータ３２２の回転速度を調整する駆動制御を行うようにファン駆動制御部４１に指示する場合に、更に、各室外機３ａ，３ｂ，３ｃに備えられた室外ファンのうち、当該室外機３ａ，３ｂ，３ｃの側面を介して隣り合う室外ファンが存在しない室外ファン３２Ｒｃ、つまり、室外マルチユニット３０に備えられた室外ファンのうちの他端の室外ファン３２Ｒｃの回転速度を調整する駆動制御も行うようにファン駆動制御部４１に指示する。
【０１０４】
この場合、上記ステップＳ１からステップＳ４における冷媒の圧力ＨＰａを、室外機３ｃに備えられた高圧圧力センサ３８で検出された圧縮機３４から吐出される冷媒の圧力ＨＰｃに置き換え、上記ステップＳ１からステップＳ４における室外ファン３２Ｌａを室外ファン３２Ｒｃに置き換えた制御となる。
【０１０５】
つまり、当該第三実施形態の構成によれば、各室外機３ａ，３ｂ，３ｃに備えられた各圧縮機３４から吐出される冷媒の圧力ＨＰａ，ＨＰｂ，ＨＰｃを予め定められた誤差ＤＦの範囲内で等しくされるため、各室外機３ａ，３ｂ，３ｃから吐出される冷媒量がほぼ等しくなるように調整され、各室外機３ａ，３ｂ，３ｃを循環する冷媒の偏流が生じる虞が回避される。
【０１０６】
[第四実施形態]
以下の第四実施形態の説明では、第一実施形態から第三実施形態の何れかとは異なる部分についてのみ詳述し、第一実施形態から第三実施形態の何れかと同じ部分については説明を省略する。
【０１０７】
第四実施形態では、回転速度調整部４２は、第一実施形態から第三実施形態の何れかにおける構成に加えて、室外機３ａ，３ｂ，３ｃの側面を介して隣り合う室外ファン３２Ｌ，３２Ｒのモータ３２２の回転速度を調整する駆動制御を行うようにファン駆動制御部４１に指示する場合に、更に、各室外機３ａ，３ｂ，３ｃに備えられた室外ファンのうち、少なくとも一基の室外ファンのモータ３２２の回転速度を、他の室外ファンのモータ３２２の回転速度とは異ならせる駆動制御を行うようにファン駆動制御部４１に指示する。
【０１０８】
例えば、回転速度調整部４２は、第一実施形態において図３（ａ）を用いて説明したように、室外機３ａのケーシング３９ａの右側面３９Ｒａと室外機３ｂのケーシング３９ｂの左側面３９Ｌｂとを介して隣り合う室外ファン３２Ｒａ、３２Ｌｂのモータ３２２の回転速度をｒｖ２に一致させるために、当該モータ３２２を制御する２つのインバータ３２３の駆動周波数を同一のｆ２に設定する。
【０１０９】
これに対し、第四実施形態では、回転速度調整部４２は、図３（ｃ）に示すように、中央に配置された室外機３ｂのケーシング３９ｂの右側面３９Ｒｂと右側に配置された室外機３ｃのケーシング３９ｃの左側面３９Ｌｃとを介して隣り合う室外ファン３２Ｒｂ、３２Ｌｃのモータ３２２の回転速度を、ｒｖ２とは異なるｒｖ７に一致させるために、当該モータ３２２を制御する２つのインバータ３２３の駆動周波数を同一のｆ７に設定する。
【０１１０】
また、回転速度調整部４２は、室外マルチユニット３０における両端の室外ファン３２Ｌａ，３２Ｒｃのモータ３２２を制御する２つのインバータ３２３の駆動周波数を、それぞれ、ｆ２及びｆ７とは異なるｆ１，ｆ３に設定する。
【０１１１】
これによって、全ての室外機３ａ，３ｂ，３ｃにおいて、各室外機３ａ，３ｂ，３ｃに備えられた室外ファンのうち、少なくとも一基の室外ファンのモータ３２２は、他の室外ファンのモータ３２２とは異なる回転速度で駆動するように制御される。
【０１１２】
室外機３ａ，３ｂ，３ｃに備えられた二基以上の室外ファン３２Ｌ，３２Ｒのモータ３２２の回転速度が一致すると共振音による騒音が発生する虞があり、更に当該室外機が複数台並んで配置されることによって当該騒音が増大される虞がある。
【０１１３】
これに対し、第四実施形態の構成によれば、１つの室外機３ａ，３ｂ，３ｃに備えられた室外ファンのうち、少なくとも一基の室外ファンのモータ３２２の回転速度は、当該１つの室外機３ａ，３ｂ，３ｃ内の他の室外ファンのモータ３２２の回転速度とは異なるように調整される。このため、当該１つの室外機３ａ，３ｂ，３ｃにおいて共振音によって騒音が発生する虞が軽減される。また、これによって、室外機が複数台並べて配置された場合に共振音による騒音が増大される虞も軽減される。
【０１１４】
[第五実施形態]
第五実施形態では、図１の破線矩形部に示すように、指示受付部４３は、更に、回転速度調整部４２によって、各室外機３ａ，３ｂ，３ｃに備えられた室外ファンのうち、少なくとも一基の室外ファンのモータ３２２の回転速度を、他の室外ファンのモータ３２２の回転速度とは異ならせる駆動制御を行うようにファン駆動制御部４１に指示するか否かの指示を入力する共振音回避指示入力部４３１として機能する。
【０１１５】
例えば、共振音回避指示入力部４３１は、リモコンに設けられた押下可能なボタンによって構成されている。これに合わせて、指示受付部４３は、当該ボタンがユーザーによって押下されると、各室外機３ａ，３ｂ，３ｃに備えられた室外ファンのうち、少なくとも一基の室外ファンのモータ３２２の回転速度を、他の室外ファンのモータ３２２の回転速度とは異ならせる駆動制御を行うようにファン駆動制御部４１に指示する指示を受け付ける。
【０１１６】
これに合わせて、回転速度調整部４２は、指示受付部４３によって当該指示が受け付けられると、上記の第四実施形態と同様にして、各室外機３ａ，３ｂ，３ｃに備えられた室外ファンのうち、少なくとも一基の室外ファンのモータ３２２の回転速度を、他の室外ファンのモータ３２２の回転速度とは異ならせる駆動制御を行うようにファン駆動制御部４１に指示する。
【０１１７】
第五実施形態の構成によれば、回転速度調整部４２によって、１つの室外機３ａ，３ｂ，３ｃに備えられた室外ファンのうち、少なくとも一基の室外ファンのモータ３２２の回転速度を、他の室外ファンのモータ３２２の回転速度とは異ならせる駆動制御を行うようにファン駆動制御部４１に指示するか否かを、共振音回避指示入力部４３１を用いてユーザーに入力させることができる。
【０１１８】
このため、例えば、周囲環境の騒音が大きく、室外マルチユニット３０において共振音による騒音が発生しても問題にならないような場合は、回転速度調整部４２によるファン駆動制御部４１への当該指示をさせない等、室外マルチユニット３０が配設される環境に応じて、回転速度調整部４２によるファン駆動制御部４１への当該指示をするか否かを柔軟に切り替えさせることができる。
【０１１９】
[第六実施形態]
第六実施形態では、図１の破線矩形部に示すように、指示受付部４３は、更に、回転速度調整部４２によって、互いに隣り合う室外機に設けられた熱交換器３１の側面のうちの当該室外機の側面を介して対向し合う側面の有効伝熱面積が互いに等しい場合に、当該室外機３ａ，３ｂ，３ｃの側面を介して隣り合う室外ファン３２Ｌ，３２Ｒのモータ３２２の回転速度が一致する駆動制御を行うようにファン駆動制御部４１に指示するか否かの指示を入力する偏流回避指示入力部４３２として機能する。
【０１２０】
例えば、偏流回避指示入力部４３２は、リモコンに設けられた押下可能なボタンによって構成されている。これに合わせて、指示受付部４３は、当該ボタンがユーザーによって押下されると、互いに隣り合う室外機に設けられた熱交換器３１の側面のうちの当該室外機の側面を介して対向し合う側面の有効伝熱面積が互いに等しい場合に、当該各室外機３ａ，３ｂ，３ｃの側面を介して隣り合う室外ファンのモータ３２２の回転速度が一致する駆動制御を行うようにファン駆動制御部４１に指示する指示を受け付ける。
【０１２１】
これに合わせて、回転速度調整部４２は、指示受付部４３によって当該指示が受け付けられると、上記の第一実施形態と同様にして、互いに隣り合う室外機に設けられた熱交換器３１の側面のうちの当該室外機の側面を介して対向し合う側面の有効伝熱面積が互いに等しい場合に、当該各室外機３ａ，３ｂ，３ｃの側面を介して隣り合う室外ファンが一致する駆動制御を行うようにファン駆動制御部４１に指示する。
【０１２２】
[第七実施形態]
第七実施形態では、図１の破線矩形部に示すように、指示受付部４３は、更に、回転速度調整部４２によって、互いに隣り合う室外機に設けられた熱交換器３１の側面のうちの当該室外機の側面を介して対向し合う側面の有効伝熱面積が互いに異なる場合に、当該室外機の側面を介して隣り合う室外ファンのうちの一方の室外ファン３２Ｒのモータ３２２の回転速度と他方の室外ファン３２Ｌ側の有効伝熱面積との積が、当該他方の室外ファン３２Ｌのモータ３２２の回転速度と当該一方の室外ファン３２Ｒ側の有効伝熱面積との積と等しくなる駆動制御を行うようにファン駆動制御部４１に指示するか否かの指示を入力する偏流回避指示入力部４３２として機能する。
【０１２３】
例えば、偏流回避指示入力部４３２は、リモコンに設けられた押下可能なボタンによって構成されている。これに合わせて、指示受付部４３は、当該ボタンがユーザーによって押下されると、互いに隣り合う室外機に設けられた熱交換器３１の側面のうちの当該室外機の側面を介して対向し合う側面の有効伝熱面積が互いに異なる場合に、当該室外機の側面を介して隣り合う室外ファンのうちの一方の室外ファン３２Ｒのモータ３２２の回転速度と他方の室外ファン３２Ｌ側の有効伝熱面積との積が、当該他方の室外ファン３２Ｌのモータ３２２の回転速度と当該一方の室外ファン３２Ｒ側の有効伝熱面積との積と等しくなる駆動制御を行うようにファン駆動制御部４１に指示する指示を受け付ける。
【０１２４】
これに合わせて、回転速度調整部４２は、指示受付部４３によって当該指示が受け付けられると、上記の第二実施形態と同様にして、互いに隣り合う室外機に設けられた熱交換器３１の側面のうちの当該室外機の側面を介して対向し合う側面の有効伝熱面積が互いに異なる場合に、当該室外機の側面を介して隣り合う室外ファンのうちの一方の室外ファン３２Ｒのモータ３２２の回転速度と他方の室外ファン３２Ｌ側の有効伝熱面積との積が、当該他方の室外ファン３２Ｌのモータ３２２の回転速度と当該一方の室外ファン３２Ｒ側の有効伝熱面積との積と等しくなる駆動制御を行うようにファン駆動制御部４１に指示する。
【０１２５】
第六実施形態又は第七実施形態の構成によれば、回転速度調整部４２によってファン駆動制御部４１に、第六実施形態又は第七実施形態のそれぞれにおける上記指示をさせるか否か、つまり、互いに隣り合う室外機に設けられた熱交換器３１の三側面のうちの当該室外機の側面を介して対向し合う側面における熱交換能力を同程度にさせるか否かを、偏流回避指示入力部４３２を用いてユーザーに入力させることができる。
【０１２６】
このため、例えば、各室外機３間の隙間を大きくすることが可能である場合は、室外機間の隙間を介して隣り合う室外ファンの回転速度の如何に応じて、当該隙間から吸い込まれる外気に通風偏流が生じる可能性は低く、互いに隣り合う室外機に設けられた熱交換器３１の三側面のうちの当該室外機の側面を介して対向し合う側面における熱交換能力を同程度にすることによって、冷媒の偏流の発生を回避させる必要はないものと考えられるので、このような場合は、回速度調整部４２によるファン駆動制御部４１への上記指示をさせない等、室外マルチユニットが配設される環境に応じて、回転速度調整部４２によるファン駆動制御部４１への上記指示をするか否かを柔軟に切り替えさせることができる。
【０１２７】
以上、本発明に係る室外マルチユニットの実施形態について説明したが、本発明に係る室外マルチユニットは、上記の実施形態に限定されるものではなく、その趣旨を逸脱しない範囲で種々変更、改良等が可能である。また、上記図１乃至図６に示した構成及び処理は、本発明に係る実施形態の例示に過ぎず、本発明を当該実施形態に限定する趣旨ではない。例えば、室外マルチユニットに備えられた三台以上の室外機が、循環するように一列に並べて配置され、つまり、当該台数分の頂点からなる多角形状に配置されていてもよい。
【符号の説明】
【０１２８】
１      空気調和装置
１０    冷媒回路
２（２ａ，２ｂ）  室内機
２１    熱交換器（室内機）
２２    室内ファン
３（３ａ，３ｂ，３ｃ）  室外機
３０    室外マルチユニット
３１（３１ａ，３１ｂ，３１ｃ）    熱交換器（室外機）
３２Ｌ（３２Ｌａ，３２Ｌｂ，３２Ｌｃ）    室外ファン
３２Ｒ（３２Ｒａ，３２Ｒｂ，３２Ｒｃ）    室外ファン
３２１  羽根車（室外ファン）
３２２  モータ（室外ファン）
３２３  インバータ（室外ファン）
３４    圧縮機
３９（３９ａ，３９ｂ，３９ｃ）          ケーシング
３９Ｅ（３９Ｅａ，３９Ｅｂ，３９Ｅｃ）  背面（ケーシング）
３９Ｆ（３９Ｆａ，３９Ｆｂ，３９Ｆｃ）  正面（ケーシング）
３９Ｌ（３９Ｌａ，３９Ｌｂ，３９Ｌｃ）  左側面（ケーシング）
３９Ｒ（３９Ｒａ，３９Ｒｂ，３９Ｒｃ）  右側面（ケーシング）
４１    ファン駆動制御部
４２    回転速度調整部
４３    指示受付部
４３１  共振音回避指示入力部
４３２  偏流回避指示入力部
ＤＦ    予め定められた誤差
ＨＰａ，ＨＰｂ，ＨＰｃ  圧縮機から吐出される冷媒の圧力
【図１】
2012255630.tif 000003
【図２】
2012255630.tif 000004
【図３】
2012255630.tif 000005
【図４】
2012255630.tif 000006
【図５】
2012255630.tif 000007
【図６】
2012255630.tif 000008